(57)【要約】【課題】  ペダル開閉式でありながらスタッキング可能なごみ箱を提供する。【解決手段】    前後左右の４つの壁面を有するとともに底部外寸法を開口内寸法より小さくした下窄み状とすることによりスタッキング可能とした筐体状のごみ箱本体の上部に設けたごみ投入口４に対し、蓋体７をごみ箱本体の一端を枢支部として回動自在に設けるとともに、この蓋体をごみ箱下方に設けたペダル６の上下動により昇降する昇降部材により押し上げるペダル開閉式ごみ箱において、ごみ箱本体の隣接する壁面同士の隅角部の下方に壁面からごみ箱本体内方方向に後退するペダル室５を設け、上記のペダル室内にペダルを配するとともにペダルはごみ箱本体の壁面より外に突出しないようにする。【選択図】  図１
2020033140.tif 000002
【特許請求の範囲】
【請求項１】
前後左右の４つの壁面を有するとともに底部外寸法を開口内寸法より小さくした下窄み状とすることによりスタッキング可能とした筐体状のごみ箱本体の上部に設けたごみ投入口に対し、蓋体をごみ箱本体の一端を枢支部として回動自在に設けるとともに、この蓋体をごみ箱下方に設けたペダルの上下動により昇降する昇降部材により押し上げるペダル開閉式ごみ箱において、ごみ箱本体の隣接する壁面同士の隅角部の下方に壁面からごみ箱本体内方方向に後退するペダル室を設け、上記のペダル室内にペダルを配するとともにペダルはごみ箱本体の壁面より外に突出しないようにしたことを特徴とするペダル開閉式ごみ箱。
【請求項２】
前後左右の４つの壁面を有する筐体状のごみ箱本体は平面方形状である請求項１記載のペダル開閉式ごみ箱。
【請求項３】
前後左右の４つの壁面を有する筐体状のごみ箱本体は平面長方形状である請求項１記載のペダル開閉式ごみ箱。
【請求項４】
ペダル室はごみ箱本体の隣接する壁面同士の隅角部の下方を切り欠くことにより構成される請求項１から３の何れかに記載のペダル開閉式ごみ箱。
【請求項５】
ペダル室はごみ箱本体の隣接する壁面同士の隅角部の下方を凹陥させることにより構成される請求項１から３の何れかに記載のペダル開閉式ごみ箱。
【発明の詳細な説明】
【技術分野】
【０００１】
本願発明はごみ箱に関し、より詳細にはペダル開閉式のごみ箱の改良創作に関する。
【背景技術】
【０００２】
ごみ箱上部に設けたごみ投入口に対し蓋体をごみ箱後端を枢支部として回動自在に設けるとともに、この蓋体をごみ箱下方に設けたペダルの上下動により昇降する昇降部材により押し上げるペダル開閉式ごみ箱が公知である。
【０００３】
前記のペダル開閉式ごみ箱においてはベダルは全体がごみ箱正面の壁面から突出するか（特許文献１）、ごみ箱の正面の壁面を凹陥させて構成されるペダル室内に大半を収容して先端のみを壁面から突出させていた（特許文献２）。
【０００４】
前記のごみ箱においては、ペダルを足先で踏み込むだけで蓋体を開放できるので、使い勝手がよく、広く使用されている。
【０００５】
ところで、ごみ箱は大型商品でありメーカーからの輸送や、店舗での保管、陳列に際してそれなりのスペースを要し、そのためのコストが問題となる。
【０００６】
そのため、ごみ箱の底部外寸法を開口内寸法より小さくした下窄み状とすることにより、互いを嵌入するように積み重ねるスタッキングを可能として、前記のコストを削減する試みがなされている。
【０００７】
しかしながら、前記のペダル開閉式ごみ箱においてはペダルの先端がごみ箱の壁面から突出するので、それがスタッキングを阻害する問題が生じる。
【０００８】
前記において、ペダルの先端をごみ箱の壁面から突出させる理由は利用者においてペダルを踏みやすくする点に求められる。この場合、ペダルはごみ箱の壁面を凹陥させて構成されるがペダル室の奥行きを深くすればペダルをごみ箱の壁面から突出させないで済む。しかしながら、単に奥行きを深くしただけでは足先をペダル室内に差し入れ難いので、横方向から足を差し入れられるようにペダル室の横幅も広くしないとならず、その結果、ペダル室が巨大となりごみ箱の収容量に悪影響を与えるおそれが生じることとなる。
【０００９】
前記の問題点に鑑みて、ペダルの先端を折り畳み可能とした発明（特許文献２）、ペダルを着脱可能とした発明（特許文献３）が提案されている。
【先行技術文献】
【特許文献】
【００１０】
【特許文献１】実用新案登録第３１３２１８８号
【特許文献２】実開平０７−０１９２１０
【特許文献３】特開平１１−２２７８１３
【特許文献４】特許第３９６７９０１号
【発明の開示】
【発明が解決しようとする課題】
【００１１】
しかしながら、前記の特許文献２および３に記載の発明はペダルの先端を折り畳み可能したり着脱可能とするための機構が複雑となり、部品点数が増え、製造コストが嵩む問題があった。また、ペダルはごみ箱の正面の壁面を凹陥させて構成されるペダル室には収容されなければならないので、ペダル室が小さくて済むとはいえごみ箱の収容量に悪影響を与えるおそれは残った。
【課題を解決するための手段】
【００１２】
本願発明は以上の従来技術の問題点を解消したペダル開閉式ごみ箱を提供することを目的として創作されたものであり、前後左右の４つの壁面を有するとともに底部外寸法を開口内寸法より小さくした下窄み状とすることによりスタッキング可能とした筐体状のごみ箱本体の上部に設けたごみ投入口に対し、蓋体をごみ箱本体の一端を枢支部として回動自在に設けるとともに、この蓋体をごみ箱下方に設けたペダルの上下動により昇降する昇降部材により押し上げるペダル開閉式ごみ箱において、ごみ箱本体の隣接する壁面同士の隅角部の下方に壁面からごみ箱本体内方方向に後退するペダル室を設け、上記のペダル室内にペダルを配するとともにペダルはごみ箱本体の壁面より外に突出しないようにしたことを特徴とする。
【００１３】
また、請求項２記載の発明は、前記のペダル開閉式ごみ箱において、前後左右の４つの壁面を有する筐体状のごみ箱本体は平面方形状であることを特徴とする。
【００１４】
また、請求項３記載の発明は、前記のペダル開閉式ごみ箱において、前後左右の４つの壁面を有する筐体状のごみ箱本体は平面長方形状であることを特徴とする。
【００１５】
また、請求項４記載の発明は、前記のペダル開閉式ごみ箱において、ペダル室はごみ箱本体の隣接する壁面同士の隅角部の下方を切り欠くことにより構成されることを特徴とする。
【００１６】
また、請求項５記載の発明は、前記のペダル開閉式ごみ箱において、ペダル室はごみ箱本体の隣接する壁面同士の隅角部の下方を凹陥させることにより構成されることを特徴とする。
【発明の効果】
【００１７】
本願発明のペダル開閉式ごみ箱の特徴は、ごみ箱本体の隣接する壁面同士の隅角部の下方に壁面からごみ箱本体内方方向に後退するペダル室を設けた点にある。従来技術のペダル開閉式ごみ箱においては、ペダル室は全てごみ箱の正面の壁面に設けられるものでありこのような発想は存しなかった。
【００１８】
本願発明においてペダル室が設けられる隣接する壁面同士の隅角部は両側の壁面が９０度の角度をなす。すなわち、正面の壁面に凹陥させることにより設けられる従来技術のペダル開閉式ごみ箱のペダル室においてはペダルの奥行き方向に対し壁面は直交する位置に存するが、本願発明においては両側の壁面は４５度の角度をもって内方に後退することを意味する。従って、従来技術においてはベダルに対して横方向から足先を差し入れることを可能とするためには、直交する位置に存する正面の壁面に遮られないように、ペダル室の横幅を拡げて壁面端をベダルから遠ざけなくてはならなかったが、本願発明においてはペダル室の幅を最小限としても壁面が足先を遮ることがない。
【００１９】
前記の結果、本願発明においては、ペダル室の幅を最小限とした場合でも、ペダルの先端をごみ箱の壁面から突出させなくてもベダル操作に支障を来すことがなくなり、従来困難であったごみ箱同士のスタッキングが可能となる。
【００２０】
また、ペダル室の幅を最小限にでき、かつ、ペダル室はごみ箱の正面でなく、隅角に配置されるので、ペダル室がごみ箱の収容量に悪影響を与えるおそれが少なくなる。
【図面の簡単な説明】
【００２１】
【図１】本願発明のペダル開閉式ごみ箱の斜視図。
【図２】同上、異なる角度から観察した斜視図。
【図３】同上、正面図。
【図４】同上、側面図。
【図５】本願発明のペダル開閉式ごみ箱の異なる実施例の斜視図。
【図６】本願発明のペダル開閉式ごみ箱の異なる実施例の斜視図。
【発明を実施するための最良の形態】
【００２２】
以下、本願発明のペダル開閉式の具体的実施例を添付図面に基づいて説明する。本願発明はごみ箱上部に設けたごみ投入口に対し蓋体をごみ箱後端を枢支部として回動自在に設けるとともに、この蓋体をごみ箱下方に設けたペダルの上下動により昇降する昇降部材により押し上げる公知のペダル開閉式ごみ箱に実施される。
【００２３】
図中符合１はプラスチック素材により構成されるごみ箱の本体を示す。ごみ箱本体１は前後左右の４つの壁面、すなわち、前側壁２Ａ、後側壁２Ｂ、右側壁３Ａ、左側壁３Ｂを有するとともに底部外寸法を開口内寸法より小さくした下窄み状とすることによりスタッキング可能とする。ここでは前後左右の４つの壁面を有する形状として平面方形状のものを図示しているが、各壁面は丸みを帯びていてもよく、また、隣接する壁面同士の隅角部は完全な角ではなく丸みを帯びていてもよい。
【００２４】
前記のごみ箱本体１は上方をごみ投入口４として開口されるが、ごみ投入口に対し蓋体７が回動自在に設けられる。蓋体７はごみ投入口４端に枢支をもって開閉するように設けられるものであり、ペダル操作によっても開閉できる機構が設けられる。上記の機構としては例えば下記の公知技術（図示せず）が想定できる。
【００２５】
すなわち、ごみ箱本体１の上下方向には昇降杆が昇降自在に配され、ごみ箱本体の底部裏面に設けた枢支部を支点として上下にシーソー状に回動する回動杆の後端に、昇降杆の下端が枢支部をもって連結されると共に、昇降杆の上端の当接部が蓋体の裏面の枢支部近傍に設けた当接部に当接するように配される。前記の回動杆の前方には足踏み操作可能なペダル６がごみ箱本体の下方に配されるものであり、ペダルの下降時に上昇する昇降杆により蓋体が押し開けられることとなる。
【００２６】
図中符号５は本願発明のペダル開閉式ごみ箱の特徴箇所を構成するペダル室である。ペダル室５はごみ箱本体１の隣接する壁面同士（ここでは前側の壁面２Ａと右側の壁面３Ａ）の隅角部の下方に壁面からごみ箱本体内方方向に後退した箇所に設けられる。
【００２７】
この実施例では前記のペダル室５はごみ箱本体１の前側の壁面２Ａと右側の壁面３Ａの下方を切り欠くことにより形成されているが、前側の壁面２Ａと右側の壁面３Ａの下方をごみ箱本体の内方に向かって凹陥させて形成してもよい。
【００２８】
ペダル室５はこの実施例ではごみ箱本体１の前側の壁面２Ａと右側の壁面３Ａの下端を三角形状に切り欠くことによりごみ箱本体の隅角部に三角錐状の空間としているが、前側の壁面２Ａと右側の壁面３Ａの下端の切り欠きは三角形状に限られないことはもちろんである。
【００２９】
図中符号６はペダルであり、ごみ箱本体の壁面より外に突出しないように前記のペダル室５内に配される。
【００３０】
図１〜図４においては、本願発明のペダル開閉式ごみ箱の形状として前後左右の４つの壁面を有する筐体状のごみ箱本体１を前後の壁面の幅が左右の壁面の幅より長い平面長方形状とし、蓋体７は長手側、すなわち後側の壁面２Ｂの上端を枢支部としている。この場合、ペダル６は従来技術のペダル開閉式ごみ箱のように前側の壁面に設けず、隅角部に設けているのでごみ箱を横方向に置いても、縦方向に置いてもペダル操作が可能となる。
【００３１】
図５は本願発明のペダル開閉式ごみ箱の形状として前後左右の４つの壁面を有する筐体状のごみ箱本体１を前後の壁面の幅が左右の壁面の幅より長い平面長方形状とし、蓋体７を短手手側、すなわち左側の壁面３Ｂの上端を枢支部とした場合を示す図である。
【００３２】
図６は本願発明のペダル開閉式ごみ箱の形状として前後左右の４つの壁面を有する筐体状のごみ箱本体１を前後の壁面の幅が左右の壁面の幅と等しい平面正方形状とした場合を示す図である。
【符号の説明】
【００３３】
１        ごみ箱本体
２Ａ      （ごみ箱本体）の前側の壁面
２Ｂ      （ごみ箱本体）の後側の壁面
３Ａ      （ごみ箱本体）の右側の壁面
３Ｂ      （ごみ箱本体）の左側の壁面
４        ごみ投入口
５        ペダル室
６        ペダル
７        蓋体
【図１】
2020033140.tif 000003
【図２】
2020033140.tif 000004
【図３】
2020033140.tif 000005
【図４】
2020033140.tif 000006
【図５】
2020033140.tif 000007
【図６】
2020033140.tif 000008